(57)【要約】【課題】個人コードと顔写真を記憶する画像ファイルから、指定する個人コードに対応して記憶された複数の顔写真の中から笑顔の顔画像を自動的に１枚選択して、複数の個人コードを指定することにより選択された複数の顔写真を用いて記念写真を作るプリント作成システムを提供すること。【解決手段】個人コードと共に個人の顔画像を記憶する顔画像ファイルと、前記個人コードを指定することにより前記顔画像ファイルに記憶されている顔画像を読み出す顔画像読み出し手段と、読み出された前記顔画像の笑顔の程度を判定する笑顔判定手段と、前記笑顔判定手段による判定結果を基に、前記個人コードに対応する複数の顔画像の中から１枚の顔画像を選択する顔画像選択手段とを有することを特徴とするプリント作成システムの提供。【選択図】図４
2008052402.tif 000002
【特許請求の範囲】
【請求項１】
個人コードと共に個人の顔画像を記憶する顔画像ファイルと、
前記個人コードを指定することにより前記顔画像ファイルに記憶されている顔画像を読み出す顔画像読み出し手段と、
読み出された前記顔画像の笑顔の程度を判定する笑顔判定手段と、
前記笑顔判定手段による判定結果を基に、前記個人コードに対応する複数の顔画像の中から１枚の顔画像を選択する顔画像選択手段と
を有することを特徴とするプリント作成システム。
【請求項２】
個人コードに対応して選択された前記１枚の顔画像を、複数の個人コードを指定することによって複数枚読み出し、１枚のプリントを作成することを特徴とする請求項１に記載のプリント作成システム。
【請求項３】
個人コードと共に個人の顔画像を記憶する顔画像ファイルから、
前記個人コードを指定することにより前記顔画像ファイルに記憶されている顔画像を読み出して、
読み出した前記顔画像の笑顔の程度を判定し、判定結果を基に、前記個人コードに対応する複数の顔画像の中から１枚の顔画像を選択して、
個人コード毎に選択された前記１枚の顔画像を、複数の個人コードを指定することにより複数枚読み出し、１枚のプリントを作成することを特徴とするのプリント作成方法。
【発明の詳細な説明】
【技術分野】
【０００１】
本発明は、複数の人物を個々に撮影した顔写真から、１枚のプリントを作成するプリント作成システムとプリント作成方法に関する。
【背景技術】
【０００２】
従来から、整列した複数の人物を背景と共に撮影した集合写真が知られている。
【０００３】
また、複数の人物を個別に撮影して得た複数の顔写真を１枚に並べた写真、又は１頁に並べたアルバムが知られている。学校の卒業記念アルバムは、その代表的なものである。
【０００４】
このような写真、又はアルバムは、背景と共に身体が撮影される集合写真と異なり、顔写真のみが並べられることから、必然的に個々の顔が注目されることになる。従って、被写体となった人物としては、なるべく表情の良い顔写真が載せられることを望む。
【０００５】
このような写真、又はアルバムの作成については、個々の顔写真中の顔のサイズを一定にする規格化処理を施した後に、レイアウトを処理をする画像処理システム（例えば、特許文献１参照。）が知られているが、顔写真の顔の表情に関する対応については、言及されていない。
【０００６】
特に、ある目的を持って集まった参加者を個別に撮影して得た顔写真を、その目的に相応しい背景、例えば景色、模様、記念文字等の背景の上に並べて１枚のプリントとする記念写真においては、そこに並べられた顔写真の表情は、その集まりがどの様であったかを印象づけるものとして重要なものである。
【０００７】
しかしながら、短時間で多人数の複数の写真から記念写真に載せる良い表情の写真を選択することは困難である。
【特許文献１】特開２０００−１６５６４８号公報
【発明の開示】
【発明が解決しようとする課題】
【０００８】
本発明は上述したような状況に鑑みてなされたもので、その目的は、個人コードと顔写真を記憶する画像ファイルから、指定する個人コードに対応して記憶された複数の顔写真の中から笑顔の顔画像を自動的に１枚選択して、複数の個人コードを指定することにより選択された複数の顔写真を用いて記念写真を作るプリント作成システムを提供することにある。
【課題を解決するための手段】
【０００９】
上記課題は、以下の項目に記載する発明を実現することにより達成される。
１．個人コードと共に個人の顔画像を記憶する顔画像ファイルと、
前記個人コードを指定することにより前記顔画像ファイルに記憶されている顔画像を読み出す顔画像読み出し手段と、
読み出された前記顔画像の笑顔の程度を判定する笑顔判定手段と、
前記笑顔判定手段による判定結果を基に、前記個人コードに対応する複数の顔画像の中から１枚の顔画像を選択する顔画像選択手段と
を有することを特徴とするプリント作成システム。
２．個人コードに対応して選択された前記１枚の顔画像を、複数の個人コードを指定することによって複数枚読み出し、１枚のプリントを作成することを特徴とする１項に記載のプリント作成システム。
３．個人コードと共に個人の顔画像を記憶する顔画像ファイルから、
前記個人コードを指定することにより前記顔画像ファイルに記憶されている顔画像を読み出して、
読み出した前記顔画像の笑顔の程度を判定し、判定結果を基に、前記個人コードに対応する複数の顔画像の中から１枚の顔画像を選択して、
個人コード毎に選択された前記１枚の顔画像を、複数の個人コードを指定することにより複数枚読み出し、１枚のプリントを作成することを特徴とするのプリント作成方法。
【発明の効果】
【００１０】
本発明により、個人コードと共に前記個人の顔画像を記憶する顔画像ファイルから、個人毎に１枚の笑顔像が自動的に選択して、複数の人物の笑顔像を並べた記念写真を作成するプリント作成システム、及びプリント作成方法が提供される。
【発明を実施するための最良の形態】
【００１１】
以下、本発明の実施の形態を、図を基に説明する。
【００１２】
図１は、プリント作成システムのブロック図である。
【００１３】
画像形成システムは、コンピュータである制御手段Ｃ、操作表示手段１、画像データ読み込み手段２、画像データ記憶手段３、プリント手段４等から構成される。
【００１４】
制御手段Ｃは、ＣＰＵ、メモリＭ、入出力インターフェイス、駆動回路からなるコンピュータであり、各手段との情報交換、及び各手段の制御は、メモリＭにストアされている所定のプログラムが実行されることによりなされる。また、通信手段Ｔを介して他の情報処理装置との情報交換をすることができる。なお、本図では本発明の説明に直接関係しないブロックの記載が省略されている。
【００１５】
操作表示手段１は、ＬＣＤ等の表示装置、キーボード、マウス等からなる公知の手段である。画像データ読み込み手段２は、デジタルカメラ、メモリカード等から画像データを読み取る手段である。画像データ記憶手段３は、公知の技術手段である磁気ディスクで、内部に複数のファイルを記憶することができる。プリント手段４は、プリンタで、その方式はインクジェット、熱昇華転写、銀塩等から適宜に選択することができる。
【００１６】
図２は、本発明のプリント作成システムにおけるプログラムである顔画像選択手段１０による顔画像選択処理の流れを示すフローチャートである。
【００１７】
記念写真に載せる人物の個人コードを入力すると（ステップＳ１：Ｙ）、プログラムである顔画像読み出し手段１００が実行され、個人コードと、顔画像データ名と、顔画像データ（顔画像）とを記憶している画像データ記憶手段３内に設けられているファイルである顔画像ファイル１００が検索される（ステップＳ２）。
【００１８】
入力された個人コードを有する全ての顔画像データ名と顔画像データは抽出されて顔画像抽出ファイル１１０に格納される（ステップＳ３：Ｙ、Ｓ４）。
【００１９】
また、該個人コードに対応して格納された顔画像データの数Ｋ（抽出数）が抽出データ数ファイル１２０に記憶される（ステップＳ５）。
【００２０】
顔画像抽出ファイル１１０に格納された顔画像データは、顔画像データ名をキーとして逐次読み出され、後に説明するソフトウエアである笑顔判定手段２００により笑顔の程度が判定される。
【００２１】
先ず、読み出しカウンタＣＮの値Ｎに１が設定され（ステップＳ６）、顔画像抽出ファイル１１０から、最初の顔画像データ名の顔画像データが読み出される（ステップＳ７）。
【００２２】
読み出された顔画像データは、笑顔判定手段２００によって笑顔の程度が判定され（ステップＳ８）、判定結果は笑顔判定結果ファイル２１０に、顔画像データ名と共に記憶される（ステップＳ９）。
【００２３】
次いで、読み出しカウンタＣＮの値Ｎに１が加算され（ステップＳ１０）、Ｎの値が該個人コードに対応して格納された顔画像データの数Ｋ以下である場合には（ステップＳ１１：Ｎ）、ステップＳ７に戻り、ステップＳ７〜Ｓ１１の処理が繰り返されることにより、次の顔画像データ名の顔画像データが読み出され、笑顔の程度が判定されて、判定結果が笑顔判定結果ファイル２１０に記憶される。
【００２４】
Ｎの値が該個人コードに対応して格納された顔画像データの数Ｋを超えた場合には（ステップＳ１１：Ｙ）、該個人コードに対応して格納された顔画像データの笑顔の程度の判定は全て終えたことになる。
【００２５】
判定が終了すると笑顔判定結果ファイル２１０に記憶された判定結果、即ち、笑顔の程度を示す数値が、予め設定した値に最も近い一対の顔画像データ名と顔画像データとを選択して出力顔画像ファイル３００に格納して（ステップＳ１２）、ルーチンを出る。
【００２６】
このように、個人コードを逐次入力し、対応する顔画像データを顔画像ファイルから読み出し、笑顔判定手段２００により笑顔の程度を判定して、判定結果を基に選択した顔画像データは出力顔画像ファイル３００に格納される。
【００２７】
出力顔画像ファイル３００に格納された複数の顔画像データはプログラムであるプリント出力処理４００が実行されると、プリント手段４により前記複数の顔画像が並んだ１枚のプリントが出力される。
【００２８】
図３は、プリント出力処理の流れを示すフローチャートである。
【００２９】
先ず、作成しようとするプリントに出力する人物の個人コードを入力すると（ステップＳ３１：Ｙ）、選択された顔画像データを格納している出力顔画像ファイル３００が検索され、当該の顔画像データが読み出される（ステップＳ３２）。読み出された顔画像データは、プリント上で顔画像が予め設定する一定のサイズになるように規格化処理が施される（ステップＳ３３）。
【００３０】
次いで、前記顔画像データをもとに作られる顔画像のプリント上の配置を決定するレイアウト処理がなされる（ステップＳ３４）、ステップＳ３１〜Ｓ３４の処理はプリント上に出力する人物全員について行われ、全ての人物に対応する処理が完了したという操作表示手段１からの入力情報により（ステップＳ３５）、プリント手段４へのプリント出力処理が実行される（ステップＳ３６）。
【００３１】
図４は、出力されたプリントの例である。
【００３２】
図に示されるように、予め操作表示手段１から入力した記念文字（○で示す）が景色の上部に出力され、下部には複数の人物の笑顔像が出力される。笑顔像の下方には、個人コードから特定される個人名を出力しても良い。
【００３３】
次に、図２の顔画像選択処理の流れを示すフローチャート中の笑顔判定手段２００による笑顔判定処理について説明する。
【００３４】
笑顔の判定は、先ず顔画像中から指定する顔の部位を検出する処理から始まる。
【００３５】
図５は、指定する顔の部位を示す図である。
【００３６】
指定する顔の部位とは、外眼角点ａ、ｂと口角点ｃ、ｄである。笑顔判定手段２００は、図で示すように、検出した４つの部位、即ち外眼角点ａ、ｂと口角点ｃ、ｄを通る線分から作られる長方形ａｆｂｅの縦方向の長さｙと横方向の長さｘとの比Ｒ＝ｘ／ｙを笑顔の程度として、笑顔を判定するソフトウエアである。
【００３７】
このソフトウエアは、笑顔の多くがＲ＝１．６３±０．０４であったという実験データに基づくもので公知の技術である。なお、無表情の場合にはＲ＝１．４０±０．０７という実験結果が得られている。このような相違は、口角を引き上げる大頬骨筋の動きにより現れるものである。
【００３８】
図６は、上述した笑顔の程度Ｒを測定した実験結果を示す図である。
【００３９】
図７は、笑顔判定手段２００による笑顔判定処理の流れを示すフローチャートである。
【００４０】
顔画像抽出ファイルから顔画像データが読み出されると（図２，ステップＳ７）、既に説明したように、外眼角点、口角点が検出され、（ステップＳ４１）、長方形が作図され（ステップＳ４２）、笑顔の程度とするＲ＝ｘ／ｙが計算される。得られた値は、笑顔判定結果ファイル２１０に記憶される（図２、ステップＳ９）。
【００４１】
以上説明したように、本発明によって、個人コードと共に個人の顔画像を記憶する顔画像ファイルから、個人毎に１枚の笑顔像が自動的に選択して、複数の人物の笑顔像を所定の位置に並べた記念写真を作成するプリント作成システム、及びプリント作成方法が実現される。
【図面の簡単な説明】
【００４２】
【図１】プリント作成システムのブロック図である。
【図２】顔画像選択処理の流れを示すフローチャートである。
【図３】プリント出力処理の流れを示すフローチャートである。
【図４】出力されたプリントの例である。
【図５】指定する顔の部位を示す図である。
【図６】笑顔の程度Ｒを測定した実験結果を示す図である。
【図７】笑顔判定処理の流れを示すフローチャートである。
【符号の説明】
【００４３】
１  操作表示手段
２  画像データ読み込み手段
３  画像データ記憶手段
４  プリント手段
１０  顔画像選択手段
１００  顔画像ファイル
１０５  顔画像読み出し手段
１１０  顔画像抽出ファイル
２００  笑顔判定手段
３００  出力顔画像ファイル
Ｃ  制御手段
Ｍ  メモリ
【図１】
2008052402.tif 000003
【図２】
2008052402.tif 000004
【図３】
2008052402.tif 000005
【図４】
2008052402.tif 000006
【図５】
2008052402.tif 000007
【図６】
2008052402.tif 000008
【図７】
2008052402.tif 000009